(57)【要約】【課題】消費税導入後は六種類の硬貨が街中、家庭内にあふれ管理に困り相当なエネルギーを消費している。【解決手段】本発明は上記の課題を解決するため携帯用、軽量、小型、手の平サイズでワンタッチ操作により金種別の硬貨を瞬時に連続して必要金種、必要枚数を取り出すことができ又、収納することができる。縦型、円筒形で硬貨の収納部と押し出しレバーをそれぞれ六つずつ備え押し出しレバーを引き出し、押し込むことで硬貨を連続して押し出すことができる。【選択図】  図３
2004351181.tif 000002
【特許請求の範囲】
【請求項１】
硬貨を金種別に収納するために仕切りで隔てられた円筒状の複数の収納部とこの複数の収納部のそれぞれにスリット状に設けられた硬貨の出し入れ口と、前記複数の収納部のそれぞれに設置されるレバー部であって一の端部の大部分は複数の硬貨の最下部のその下に位置し、他の端部は前記出し入れ口の後面の外部に配設されその先端にツマミを備えレバー部を本体に接続する取り付け金具からなり、その取り付け金具とツマミの間に引き出されたレバーを元の位置に戻すためのバネを備えこのバネの作用によりレバー部のツマミと取り付け金具は常時、密着の状態にあるためレバー部の大部分は前記収納部の中に位置しピストン運動可能なことを特徴とする携帯用小銭入れである。
【発明の詳細な説明】
【０００１】
【発明の属する技術分野】携帯用、軽量、小型、手の平サイズ、で金種別の硬貨を瞬間に連続して必要な金種と枚数をワンタッチで取り出すことができ、又１円、５円、１０円、５０円、１００円、を各１０枚ずつ、使用頻度の少ない５００円を５枚の計５５枚の硬貨を連続して収納することができる。
【０００２】
【従来の技術】現在、日本では６種類の硬貨があり従来では金種の異なる種類の硬貨を混合状態で財布の小銭入れに入れたり別の小銭入れ（小袋）に入れて買い物で千円未満の端数金額や自動販売機で買い物をするときなどには硬貨で支払いすることがよくあるがその場合従来では小銭入れの開口から指を差し入れて金種の異なる硬貨が混合している硬貨群から必要金種の硬貨を選り分けながら必要金種を取り出していたが、小銭入れの開口が小さいときには内部がよく見えないため一旦、金種混合状態の硬貨群を小銭入れから手の平の上に移し出してから必要金種を選別するようにしている光景をよく見ることがある。又、従来型とは全く異なった最新型（私、永吉憲一が取得させていただいた特許第３４１１２５１号）がある。
【０００３】
【発明が解決しようとする課題】最新型（特許第３４１１２５１号）では硬貨の自然流出防止と押し出しレバーの引き戻すためのバネを使用しているが使用頻度が多くなるとバネが一本物であるため少しでも伸びて弛むと各収納部の硬貨の自然流出が起こり各出し入れ口が常時全開となっているため自然流出防止が最大の課題の一つである。
【０００４】最新型では押し出しレバーの形状が半円になっておりレバーの先端で真っ直ぐに押し出さず側面で押し出すため使用頻度が多くなると半円の曲がりが少しずつ伸びて不調の原因となる。
【０００５】レバーの先端で真っ直ぐに押し出さず側面で押し出すため硬貨が無理なく出入り口を通過せず出入り口と本体の接点が擦られて摩耗して出入り口がだんだん大きくなり硬貨の自然流失が起こり、特に５０円、１００円の硬貨は側面にヤスリの目のようにギザギザがありこの二つの収納部の出入り口の摩耗が早くなり他の収納部より早く硬貨の自然流失が起こる。
【０００６】最新型では本体の両端の二ヶ所にバネを取り付け固定しているが両端になるほどレバーが重くなり押し出す力は均等でなく扱いにくい。
【０００７】
【課題を解決するための手段】上記問題点を解決するため最新型の側面からのレバーの回転による押し出し式と異なり出入り口の後面より無理なく真っ直ぐに押し出すために回転式より力を必要とせずどのレバーも同じ力で操作できる。
【０００８】それぞれのレバーには独立したバネを採用、レバーが最大限引き出された時にしか自然流失は起こらず多少バネが伸びた場合でも収納部の内部に大部分のレバーが収納されており自然流失防止のストッパーの役目を果たすことができバネが伸びきってしまわない限り自然流失は起きず、伸びきってしまうことは有り得ずストッパー装置は全く必要とせずレバーそのものが役目を果たしている。
【０００９】各収納部の出入り口が常時全開の状態になっており自然流失防止には複雑な装置をつける必要がなく部品を多く使わず操作が簡単である。
【００１０】最新型の硬貨自然流失防止のバネは不必要となりそのバネを通す本体の突起部も不必要になり、又、後面から硬貨を押し出すため本体の膨らみも不必要となる。
【００１１】本体の突起部、膨らみ、一本物のバネが不必要になり本体及び全体の形状がシンプルになりそのためポケット等の中で引っかからず出し入れが無理なく容易となる。
【００１２】押し出しレバー、取り付け金具の形状が簡単になり部品の数も少なくなりなお一層の軽量化になりコストダウンが実現できる。
【００１３】
【実施例】本願発明の実施例を説明すると、１円、５円、１０円、５０円、１００円、５００円の硬貨がありそれぞれの直径に合った計六つの収納部を一体成形している。
【００１４】硬貨の直径は５００円を除き大きな差はないが正確には１円が２０．０ミリ、５円が２２．０ミリ、１０円が２３．８ミリ、５０円が２１．０ミリ、１００円が２２．６ミリ、５００円が２６．５ミリとなっており厚みはほぼ同じであって本体の外形の直径は同じ大きさにし１円、５円、１０円、５０円、１００円の内径はそれぞれの硬貨の大きさに合わせ５００円のみは外形の直径と内径は合った大きさにする。
【００１５】１円、５円、１０円、５０円、１００円の硬貨を１０枚ずつ５００円を５枚、計５５枚の硬貨を積み重ねると８８ミリ、各収納部の仕切りを加えると、全長、僅か１００ミリ丁度となる。
【００１６】本体は一体成形か、図１を縦に中央より半分に割った状態で左右別々に成形後に接合し硬貨の枚数がよく確認できるよう透明、或いは半透明にする。
【００１７】硬貨を収納する場合は収納部を上下逆さまにしてレバーを一杯に引き出すとストッパーが外れた状態になり硬貨の出入り口が全開となるため連続して硬貨を収納することができ収納後は軽くレバーを押し込むだけでバネの作用により元の位置にレバーが戻り収納は完了する。
【００１８】
【発明の効果】本発明の携帯用小銭入れは金種別の硬貨を同種類ごとに収納しうる六つのそれぞれに合わせた収納部があり各収納部内に金種ごとの硬貨を整理した状態で収納でき、又、必要金種の硬貨を取り出すのに選別作業が不要となりしかも同金種の硬貨を複数枚取り出す際にも同一収納部から連続して取り出すことができる。１円、５円、１０円、５０円、１００円、を１０枚ずつ５００円を５枚計５５枚の硬貨を積み重ねると８８ミリ、各収納部の仕切り等を加え全長は僅か１００ミリ丁度となり携帯用に最適の大きさで使用勝手が良好となる効果があり楽しい携帯用となる。
【００１９】消費税導入により六種類の硬貨は街中、家庭内とあふれその管理に相当なエネルギーを消費しており携帯用、軽量、小型、手の平サイズ、ワンタッチ操作の小銭入れを小学生から老人まで待ち望んでいるのが現実です。
【図面の簡単な説明】
【図１】出し入れ口の正面図。
【図２】出し入れ口の背面図。
【図３】押し出しレバー側面図。
【図４】押し出しレバー。
【図５】押し出しレバー取り付け金具。
【図６】押し出しレバーのツマミ。
【図７】常時、押し出しレバーの状態。
【図８】一杯に、引き出した押し出しレバーの状態。
【符号の説明】
１  本体
２  収納部
３  出し入れ口
４  仕切り
５  本体えの取り付け金具
６  押し出しレバーのツマミ
７  取り付けネジ
８  押し出しレバー
９  押し出しレバーの引き戻しバネ
【図１】
2004351181.tif 000003
【図２】
2004351181.tif 000004
【図３】
2004351181.tif 000005
【図４】
2004351181.tif 000006
【図５】
2004351181.tif 000007
【図６】
2004351181.tif 000008
【図７】
2004351181.tif 000009
【図８】
2004351181.tif 000010